(57)【要約】【課題】使用中に髪の毛等が引っかかりにくいヘッドマウントディスプレイを提供する。【解決手段】支持アーム４と表示部６を結合する表示部ヒンジ７を含む部分を覆うようにカバー８が設けられると共に、支持アーム４とヘッドホーンハウジング２を結合する支持部５を含む部分を覆うようにカバー９が設けられている。これらのカバー８、９は、支持アーム４、表示部６の動きに追随できるように可撓性を有したり、支持アーム４、表示部６より大きめの袋状のものとされている。カバー９は蛇腹部９ａを有し、支持アーム４の前後方向のスライドに対応できるようになっている。【選択図】  図１
2008022242.tif 000002
【特許請求の範囲】
【請求項１】
映像を片眼に表示する表示部と、前記表示部をその先端に回動可能に保持する支持アームと、前記支持アームを回動可能に保持して頭部に固定する固定部とを有し、前記表示部と前記支持アームとの結合部分、及び前記支持アームと前記固定部との結合部分の少なくとも一方を含む部分を覆うカバーを有することを特徴とするヘッドマウントディスプレイ。
【請求項２】
前記カバー内に、配線を通すための空間を有することを特徴とする請求項１に記載のヘッドマウントディスプレイ。
【発明の詳細な説明】
【技術分野】
【０００１】
本発明は、ヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々と提案され、ヘッドマウントディスプレイと呼ばれている。このようなヘッドマウントディスプレイの例は、例えばＷＯ２００４／０６１５１９Ａ１公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。このようなヘッドマウントディスプレイは、通常は、映像を表示する表示部と音声を出力するヘッドホーンとを有している。
【０００４】
このようなヘッドマウントディスプレイの概要を図２に示す。このヘッドマウントディスプレイ２１においては、２つのヘッドホーンハウジング２２がオーバヘッドバンド２３によって連結されている。オーバヘッドバンド２３は、弾力性を有し、ヘッドマウントディスプレイ２１を装着するときには、ヘッドホーンハウジング２２を両耳位置に位置させ、オーバヘッドバンド２３の弾力により、人間の頭部（耳部）をヘッドホーンハウジング２２で挟んで固定する。装着時においては、図２に示すように、オーバヘッドバンド２３が頭頂部方向を向くような位置で装着される。
【０００５】
ヘッドホーンハウジング２２には、支持アーム２４が、支持部２５を介して左右方向の回動と上下方向の回動、及び前後方向のスライドが可能なように取り付けられており、その先端部に、使用者の眼に映像を表示する表示部２６が取り付けられている。使用時には、支持アーム２４を回動させて表示部２６を使用者の眼前に位置させ、映像を表示する。なお、表示部２６は支持アーム２４に対して、表示部ヒンジ２７を介してヨーとロールの回動が可能なように取り付けられており、支持アーム２４に対して表示部２６を回動させることにより、眼と表示部２６との位置関係、角度関係の微調整を行う。
【特許文献１】ＷＯ２００４／０６１５１９Ａ１公報
【発明の開示】
【発明が解決しようとする課題】
【０００６】
このように、典型的な従来のヘッドマウントディスプレイは、固定部と支持アームとの間、支持アームと表示部との間に関節機構を有している。そのため、この関節機構に髪の毛等が引っかかりやすいという問題点を有している。
【０００７】
本発明はこのような事情に鑑みてなされたもので、使用中に髪の毛等が引っかかりにくいヘッドマウントディスプレイを提供することを課題とする。
【課題を解決するための手段】
【０００８】
前記課題を解決するための第１の手段は、映像を片眼に表示する表示部と、前記表示部をその先端に回動可能に保持する支持アームと、前記支持アームを回動可能に保持して頭部に固定する固定部とを有し、前記表示部と前記支持アームとの結合部分、及び前記支持アームと前記固定部との結合部分の少なくとも一方を含む部分を覆うカバーを有することを特徴とするヘッドマウントディスプレイである。
【０００９】
前記課題を解決するための第２の手段は、前記第１の手段であって、前記カバー内に、配線を通すための空間を有することを特徴とするものである。
【発明の効果】
【００１０】
本発明によれば、使用中に髪の毛等が引っかかりにくいヘッドマウントディスプレイを提供することができる。
【発明を実施するための最良の形態】
【００１１】
以下、本発明の実施の形態の例を、図を用いて説明する。図１は、本発明の実施の形態の１例であるヘッドマウントディスプレイの概要を示す図である。このヘッドマウントディスプレイ１においては、２つのヘッドホーンハウジング２がオーバヘッドバンド３によって連結されている。オーバヘッドバンド３は、弾力性を有し、ヘッドマウントディスプレイ１を装着するときには、ヘッドホーンハウジング２を両耳位置に位置させ、オーバヘッドバンド３の弾力により、人間の頭部（耳部）をヘッドホーンハウジング２で挟んで固定する。装着時においては、図１に示すように、オーバヘッドバンド３が頭頂部方向を向くような位置で装着される。
【００１２】
ヘッドホーンハウジング２には、支持アーム４が、支持部５を介して左右方向の回動と上下方向の回動、及び前後方向のスライドが可能なように取り付けられており、その先端部に、使用者の眼に映像を表示する表示部６が取り付けられている。使用時には、支持アーム４を回動させて表示部６を使用者の眼前に位置させ、映像を表示する。なお、表示部６は支持アーム４に対して、表示部ヒンジ７を介してヨーとロールの回動が可能なように取り付けられており、支持アーム４に対して表示部６を回動させることにより、眼と表示部６との位置関係、角度関係の微調整を行う。なお、ヘッドホーンハウジング２、オーバヘッドバンド３、支持部５が固定部に相当する。
【００１３】
本実施の形態においては、支持アーム４と表示部６を結合する表示部ヒンジ７を含む部分を覆うようにカバー８が設けられると共に、支持アーム４とヘッドホーンハウジング２を結合する支持部５を含む部分を覆うようにカバー９が設けられている。これらのカバー８、９は、支持アーム４、表示部６の動きに追随できるように可撓性を有したり、支持アーム４、表示部６より大きめの袋状のものとされている。カバー９は蛇腹部９ａを有し、支持アーム４の前後方向のスライドに対応できるようになっている。
【００１４】
本実施の形態では、ヘッドホーンハウジング２、支持アーム４、表示部６の一部をカバー８、９で覆うようにしているが、ヘッドホーンハウジング２の音声出力部と表示部６の映像出力用窓を覗いた全体をカバーで覆うようにしてもよい。
【００１５】
又、支持アーム４の外側にヘッドホーンハウジング２から表示部６に至る配線を配置し、この配線を支持アーム４と一緒にカバーで覆うようにすれば、配線が外部の物体に引っかかる可能性を無くすることができ、かつ、支持アーム４中に配線を入れる必要もなくなる。
【図面の簡単な説明】
【００１６】
【図１】本発明の実施の形態の１例であるヘッドマウントディスプレイの概要を示す図である。
【図２】従来のヘッドマウントディスプレイの概要を示す図である。
【符号の説明】
【００１７】
１…ヘッドマウントディスプレイ、２…ヘッドホーンハウジング、３…オーバヘッドバンド、４…支持アーム、５…支持部、６…表示部、７…表示部ヒンジ、８…カバー、９…カバー、９ａ…蛇腹部
【図１】
2008022242.tif 000003
【図２】
2008022242.tif 000004